(57)【要約】【課題】特典を付与する特定の場所に閲覧者を集客できるサーバー装置、特典付与方法、及び特典付与支援プログラムを提供する。【解決手段】サーバー装置１００のプロセッサ部は、指定の場所に来所することを前提条件にして特典を付与する旨を閲覧可能な状態とすることと、特典の受入希望者の携帯端末２００ｎからの申込みを受け入れする。プロセッサ部は、申込みに基づいて指定の場所を、携帯端末２００ｎへ通知し、特典付与者の端末３００へ受入希望者がある旨を通知する。プロセッサ部は、受入希望者がある旨の通知後に、その通知先に対して受入希望者について固有の二次元コードを送信する。プロセッサ部は、携帯端末２００ｎからの受入希望者のキー情報を受信し、受信したキー情報に基づいて、携帯端末２００ｎへ特典に関連するデジタルコンテンツのダウンロードを許容する。【選択図】図２
2020107017.tif 000002
【特許請求の範囲】
【請求項１】
閲覧者の端末と、指定の場所に前記閲覧者が来所した場合に、該閲覧者に特典を付与する特典付与者の端末との間をネットワークを介して通信を行うサーバー装置であって、該サーバー装置が、プロセッサ部を備えており、該プロセッサ部が、前記特典を付与する旨を閲覧可能な状態とすることと、前記特典の受入を希望する閲覧者（以下、受入希望者という）の端末からの申込みを受け入れすることと、前記申込みに基づいて前記指定の場所を前記受入希望者の端末へ通知（以下、第１通知という）し、前記特典付与者の端末へ前記受入希望者がある旨を通知（以下、第２通知という）することと、第１通知または第２通知のいずれか一方の通知と同時、或いは前後には、その通知先に対して前記受入希望者について固有のキー情報の送信を行うことと、前記受入希望者の端末、または、前記特典付与者の端末からの前記受入希望者の前記キー情報を受信することと、受信した前記キー情報に基づいて、前記受入希望者の端末へ前記特典に関連するデジタルコンテンツのダウンロードを許容するサーバー装置。
【請求項２】
前記受入希望者の端末からの申込みには、該受入希望者の属性情報が含まれている請求項１に記載のサーバー装置。
【請求項３】
前記キー情報には、前記プロセッサ部が作成した前記受入希望者の識別コードを含む請求項１または請求項２に記載のサーバー装置。
【請求項４】
ネットワークに接続されたサーバー装置を使用して、指定の場所に来た閲覧者に対して特典付与者から特典を付与する特典付与方法であって、前記サーバー装置がプロセッサ部を備え、前記プロセッサ部が、前記特典を付与する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典の特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記受入希望者の端末へ前記特典に関連するデジタルコンテンツのダウンロードを許容する段階を有することを特徴とする特典付与方法。
【請求項５】
特典付与者から指定の場所に来た閲覧者へ前記特典付与者から特典の付与を支援するサーバー装置において実行される特典付与支援プログラムであって、前記サーバー装置は、ネットワークを介して、前記特典付与者の端末と前記閲覧者の端末との間を通信可能に設けられ、前記サーバー装置がプロセッサ部を備え、前記プロセッサ部に、前記特典を譲渡する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典の特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記受入希望者の端末への前記特典に関連するデジタルコンテンツのダウンロードを許容する段階を、行わせる特典付与支援プログラム。
【請求項６】
閲覧者の端末と、指定の場所に前記閲覧者が来所した場合に、該閲覧者の特典を付与する特典付与者の端末との間をネットワークを介して通信を行うサーバー装置であって、該サーバー装置が、プロセッサ部を備えており、該プロセッサ部が、前記特典を付与する旨を閲覧可能な状態とすることと、前記特典の受入を希望する閲覧者（以下、受入希望者という）の端末からの申込みを受け入れすることと、前記申込みに基づいて前記指定の場所を前記受入希望者の端末へ通知（以下、第１通知という）し、前記特典付与者の端末へ前記受入希望者がある旨を通知（以下、第２通知という）することと、第１通知または第２通知のいずれか一方の通知と同時、或いは前後には、その通知先に対して前記受入希望者について固有のキー情報を送信することと、前記受入希望者の端末、または、前記特典付与者の端末からの前記受入希望者の前記キー情報を受信することと、受信した前記キー情報の受信に基づいて、前記特典付与者の端末及び前記特典付与者の端末の少なくともいずれか一方に前記特典の付与許可を送信するサーバー装置。
【請求項７】
前記受入希望者の端末からの申込みには、該受入希望者の属性情報が含まれている請求項６に記載のサーバー装置。
【請求項８】
前記キー情報には、前記プロセッサ部が作成した前記受入希望者の識別コードを含む請求項６または請求項７に記載のサーバー装置。
【請求項９】
ネットワークに接続されたサーバー装置を使用して、指定の場所に来た閲覧者に対して特典付与者から特典を付与する特典付与方法であって、前記サーバー装置がプロセッサ部を備え、前記プロセッサ部が、前記特典を付与する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記特典付与者の端末及び前記特典付与者の端末の少なくともいずれか一方に前記特典の付与許可を送信する段階を有することを特徴とする特典付与方法。
【請求項１０】
特典付与者から指定の場所に来た閲覧者へ前記特典付与者から特典の付与を支援するサーバー装置において実行される特典付与支援プログラムであって、前記サーバー装置は、ネットワークを介して、前記特典付与者の端末と前記閲覧者の端末との間を通信可能に設けられ、前記サーバー装置がプロセッサ部を備え、前記プロセッサ部に、前記特典を譲渡する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典の特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記特典付与者の端末及び前記特典付与者の端末の少なくともいずれか一方に前記特典の付与許可を送信する段階を、
行わせる特典付与支援プログラム。
【発明の詳細な説明】
【技術分野】
【０００１】
本発明は、サーバー装置、特典付与方法、及び特典付与支援プログラムに関する。
【背景技術】
【０００２】
インターネット等のネットワークに接続されたセンターサーバにデジタル画像を登録し、前記デジタル画像の出力を前記センターサーバからの出力を許諾された第三者が該デジタル画像の出力を可能にする個人画像情報活用システムが公知となっている（特許文献１）。このようなシステムを活用することにより、デジタル画像の出力（印画物）を安価に入手することが可能とされている。前記デジタル画像の出力は、例えば、お店の端末に接続されたプリンタ等により行われる。
【先行技術文献】
【特許文献】
【０００３】
【特許文献１】特開２００１−２３６３８２号公報
【発明の概要】
【発明が解決しようとする課題】
【０００４】
この方法は、上記デジタル画像を入手したい第三者が該デジタル画像が入手できる場所（たとえば、お店）に来なければ入手できないため、お店の集客力を高めるためには有効な方法である。
【０００５】
ところで、写真、物品（例えば試供品）等をウェブサイトで閲覧した閲覧者に付与する場合、種々の方法が従来からある。例えば、ウェブサイト上で閲覧者がデジタル画像（写真、動画等）がダウンロードする方法や、閲覧者に対して物品を郵便等で発送する方法がある。しかし、両方法は、写真、物品等の付与が来店前に行われてしまうと、閲覧者が来店しない場合もあるため、有効な方法とは言い難い。
【０００６】
なお、特許文献１では、どのようにして、画像を出力するための場所（例えばお店）に第三者を誘導するかの方法は開示されていない。
本発明の目的は、特典を付与する指定の場所に閲覧者を集客できるサーバー装置、特典付与方法、及び特典付与支援プログラムを提供することにある。
【課題を解決するための手段】
【０００７】
上記問題点を解決するために、本発明のサーバー装置は、閲覧者の端末と、指定の場所に前記閲覧者が来所した場合に、該閲覧者に特典を付与する特典付与者の端末との間をネットワークを介して通信を行うサーバー装置であって、該サーバー装置が、プロセッサ部を備えており、該プロセッサ部が、前記特典を付与する旨を閲覧可能な状態とすることと、前記特典の受入を希望する閲覧者（以下、受入希望者という）の端末からの申込みを受け入れすることと、前記申込みに基づいて前記指定の場所を前記受入希望者の端末へ通知（以下、第１通知という）し、前記特典付与者の端末へ前記受入希望者がある旨を通知（以下、第２通知という）することと、第１通知または第２通知のいずれか一方の通知と同時、或いは前後には、その通知先に対して前記受入希望者について固有のキー情報の送信することと、前記受入希望者の端末、または、前記特典付与者の端末からの前記受入希望者の前記キー情報を受信することと、受信した前記キー情報に基づいて、前記受入希望者の端末へ前記特典に関連するデジタルコンテンツのダウンロードを許容するものである。
【０００８】
また、前記受入希望者の端末からの申込みには、該受入希望者の属性情報が含まれていてもよい。
また、前記キー情報には、前記プロセッサ部が作成した前記受入希望者の識別コードを含んでいてもよい。
【０００９】
本発明の特典付与方法は、ネットワークに接続されたサーバー装置を使用して、指定の場所に来た閲覧者に対して特典付与者から特典を付与する特典付与方法であって、前記サーバー装置がプロセッサ部を備え、前記プロセッサ部が、前記特典を付与する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典の特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記受入希望者の端末へ前記特典に関連するデジタルコンテンツのダウンロードを許容する段階を有するものである。
【００１０】
本発明の、特典付与支援プログラムは、特典付与者から指定の場所に来た閲覧者へ前記特典付与者から特典の付与を支援するサーバー装置において実行される特典付与支援プログラムであって、前記サーバー装置は、ネットワークを介して、前記特典付与者の端末と前記閲覧者の端末との間を通信可能に設けられ、前記サーバー装置がプロセッサ部を備え、前記プロセッサ部に、前記特典を譲渡する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典の特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記受入希望者の端末への前記特典に関連するデジタルコンテンツのダウンロードを許容する段階を、行わせるものである。
【００１１】
さらに、サーバー装置は、閲覧者の端末と、指定の場所に前記閲覧者が来所した場合に、該閲覧者の特典を付与する特典付与者の端末との間をネットワークを介して通信を行うサーバー装置であって、該サーバー装置が、プロセッサ部を備えており、該プロセッサ部が、前記特典を付与する旨を閲覧可能な状態とすることと、前記特典の受入を希望する閲覧者（以下、受入希望者という）の端末からの申込みを受け入れすることと、前記申込みに基づいて前記指定の場所を前記受入希望者の端末へ通知（以下、第１通知という）し、前記特典付与者の端末へ前記受入希望者がある旨を通知（以下、第２通知という）することと、第１通知または第２通知のいずれか一方の通知と同時、或いは前後には、その通知先に対して前記受入希望者について固有のキー情報を送信することと、前記受入希望者の端末、または、前記特典付与者の端末からの前記受入希望者の前記キー情報を受信することと、受信した前記キー情報の受信に基づいて、前記特典付与者の端末及び前記特典付与者の端末の少なくともいずれか一方に前記特典の付与許可を送信するものである。
【００１２】
特典付与方法は、ネットワークに接続されたサーバー装置を使用して、指定の場所に来た閲覧者に対して特典付与者から特典を付与する特典付与方法であって、前記サーバー装置がプロセッサ部を備え、前記プロセッサ部が、前記特典を付与する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記特典付与者の端末及び前記特典付与者の端末の少なくともいずれか一方に前記特典の付与許可を送信する段階を有するものである。
【００１３】
特典付与支援プログラムは、特典付与者から指定の場所に来た閲覧者へ前記特典付与者から特典の付与を支援するサーバー装置において実行される特典付与支援プログラムであって、前記サーバー装置は、ネットワークを介して、前記特典付与者の端末と前記閲覧者の端末との間を通信可能に設けられ、前記サーバー装置がプロセッサ部を備え、前記プロセッサ部に、前記特典を譲渡する旨を閲覧可能な状態とする段階と、前記特典の受入を希望する閲覧者（以下、受入希望者という）の端末からの申込みを受け入れする段階と、前記申込みに基づいて前記指定の場所を前記受入希望者の端末へ通知（以下、第１通知という）し、前記特典の特典付与者の端末へ前記受入希望者がある旨を通知（以下、第２通知という）する段階と、第１通知または第２通知のいずれか一方の通知と同時、或いは前後には、その通知先に対して前記受入希望者について固有のキー情報を送信する段階と、前記受入希望者の端末、または、前記特典付与者の端末からの前記受入希望者の前記キー情報を受信する段階と、前記キー情報の受信に基づいて、前記特典付与者の端末及び前記特典付与者の端末の少なくともいずれか一方に前記特典の付与許可を送信する段階を、行わせるものである。
【発明の効果】
【００１４】
本発明によれば、特典を付与する指定の場所に閲覧者を集客できる効果を奏する。
【図面の簡単な説明】
【００１５】
【図１】第１実施形態の特典付与者の端末と閲覧者の端末間の通信構成を示すブロック図。
【図２】第１実施形態のサーバー装置の処理のフローチャート。
【図３】第２実施形態のサーバー装置の処理のフローチャート。
【図４】第３実施形態のサーバー装置の処理のフローチャート。
【図５】第４実施形態のサーバー装置の処理のフローチャート。
【発明を実施するための形態】
【００１６】
（第１実施形態）
以下、本発明を具体化した第１実施形態のサーバー装置、特典付与方法、及び特典付与支援プログラムを図１及び図２を参照して説明する。
【００１７】
図１に示すように、サーバー装置１００は、ネットワークとしてのインターネット１１０を介して通信することが可能なように構成されていて、インターネット１１０を介して１つ以上の閲覧者の携帯端末２００ｎと通信可能となっている。ここでｎは、１以上の任意の整数である。また、サーバー装置１００は、インターネット１１０を介して、特典付与者の端末３００とインターネット１１０を介して通信が可能となっている。本実施形態では、特典付与者の端末３００は、特典が付与される指定の場所に配置されている。
【００１８】
サーバー装置１００は、特典情報を載せたウェブサイトを掲示するとともに、前記特典情報を閲覧して、前記特典情報に関する特典付与を希望する閲覧者を支援する。サーバー装置１００は、前記ウェブサイトの管理者が運営・管理する情報処理装置とされている。前記サーバー装置１００は、例として、パソコン（パーソナルコンピュータ）、或いはワークステーションからなり、サーバとしてのハードウェア構成を有する。
【００１９】
図１に示すように、サーバー装置１００は、インターフェイス１２０、ＣＰＵ（Ｃｅｎｔｒａｌ  Ｐｒｏｃｅｓｓｉｎｇ  Ｕｎｉｔ）を含むプロセッサ部１３０及びメモリ１４０とを有している。本実施形態では、プロセッサ部１３０は、１つのＣＰＵで構成されているが、１つに限定するものではなく、２つ以上であってもよい。なお、サーバー装置１００はその機能を実現するに当たり、単一のマシンで構成されていてもよく、複数台のマシンを組み合わせて構成されていてもよい。
【００２０】
前記インターフェイス１２０は、携帯端末２００ｎ、及び特典付与者の端末３００との間の通信を制御する。メモリ１４０には、処理を実行するために必要とされる各種プログラムやそのプログラムを実行するために必要とされるデータ等が格納されている。前記各種プログラムには、図２に示すフローチャートを実行する特典付与支援プログラムが含まれている。メモリ１４０に前述する各種プログラムの格納方法は、例えば、メモリ１４０にプリインストールされていてもよく、或いは、インターネット１１０などのネットワークを経由してダウンロードされることによりメモリ１４０にインストールされていてもよい。また、ＣＤ、ＤＶＤ、或いは半導体記憶媒体（例えばＵＳＢメモリ）等の記憶媒体を介してメモリ１４０にインストールされていてもよい。
【００２１】
プロセッサ部１３０は、メモリ１４０に格納されている各種プログラムを読み出し、そのプログラムに基づいて各種制御を実行する。これにより、サーバー装置１００を所望のステップを実行する装置として機能させることが可能である。
【００２２】
図１に示すように、サーバー装置１００には、データベース１５０が接続されている。データベース１５０は、特典情報データベース部１５２と、受入希望者データベース部１５４と、特典付与履歴データベース部１５６を有している。
【００２３】
携帯端末２００ｎは、インターネット１１０を介してサーバー装置１００と通信可能となっている。携帯端末としては、例えば携帯電話、スマートフォン、タブレット端末、スマートウォッチ端末等の携帯無線端末、或いは、ラップトップＰＣ、ノートＰＣ等のように、無線通信可能であって移動可能な端末であってもよい。これらの端末は、いずれもディスプレイを有している。
【００２４】
データベース１５０は、単一或いは複数のハードウェア部品で構成されてもよい。本実施形態では、データベース１５０は、例えば、サーバー装置１００に付設された単一の外付けハードディスク装置で構成されている。
【００２５】
特典情報データベース部１５２、受入希望者データベース部１５４、及び特典付与履歴データベース部１５６は、単一のハードウェア部品で構成されてもよく、或いは、複数のハードウェア部品で構成されてもよい。
【００２６】
＜特典情報データベース部１５２＞
特典情報データベース部１５２は、特典情報が格納されている。本実施形態の特典情報は、各種の単一または複数のデジタルコンテンツであるとともに受入希望者に付与される対象物が含まれている。特典情報には固有の特典情報ＩＤが付されている。デジタルコンテンツは、例えば、デジタル画像（静止画、動画）、ゲーム、プログラムソフト、テキスト、音楽、キャラクター、ポイント、割引等を含む。前記ポイントは、物品の購入の際などに金額相当の割引として付与される点数である。これらのデジタルコンテンツを含む特典情報は、アップロードがある毎に、プロセッサ部１３０により、固有の特典情報ＩＤが付与されて特典情報データベース部１５２に格納される。なお、本実施形態での特典付与は、デジタル画像の付与であり、このデジタル画像を、無料で、後述する受入希望者に付与することである。特典付与の前提条件は、受入希望者が前記特典が付与される指定の場所に来所することである。また、前記指定の場所は、前記特典情報に関連付けされている。
【００２７】
＜受入希望者データベース部１５４＞
受入希望者データベース部１５４は、特典付与を希望する者（以下、受入希望者という）の氏名、性別、生年月日、職業、国籍、住所、電話番号、Ｅメールアドレス等の閲覧者属性データが格納されている。
【００２８】
これらの項目は、ウェブサイトに掲示されたアンケートの回答入力により得られる。なお、前記アンケートは、上記した項目以外の項目、例えば、趣味、嗜好品、家族構成などの項目を含んでいてもよく、これらの回答結果を閲覧者属性データとしてもよい。すなわち、閲覧者に対するアンケートの項目は限定するものではない。受入希望者からのアンケートの回答がある毎に、プロセッサ部１３０により、これらの項目に、固有の受入希望者ＩＤが付与（関連付け）されて、受入希望者データベース部１５４に格納される。
【００２９】
＜特典付与履歴データベース部１５６＞
特典付与履歴データベース部１５６は、特典付与された受入希望者のＩＤ（受入希望者ＩＤ）、該特典付与が行われた日時、特典が付与される指定の場所、及び特典に関する特典情報ＩＤが格納されている。これらの情報は、特典の付与が終了した後に、更新される。本実施形態では、受入希望者に対するデジタルコンテンツのダウンロードが終了する毎に特典付与履歴データベース部１５６にこれらの項目がプロセッサ部１３０により格納される。
【００３０】
特典付与者の端末３００は、例として、パソコン（パーソナルコンピュータ）、携帯端末等からなり、ディスプレイを備えている。特典付与者は、メーカー、販売者、イベント主催者、或いは共催者、スポンサー等である。特典付与者は、販売或いは宣伝したい商品を指定の場所で見てもらいたい場合に、特典情報を閲覧した受入希望者を、指定の場所に誘うことにより、すなわち、指定の場所に来所していただくことを条件として、特典を付与する。
【００３１】
（第１実施形態の作用）
上記のように構成されたサーバー装置１００の作用、及び特典付与方法について説明する。図２には、サーバー装置１００のプロセッサ部１３０が特典付与支援プログラムにより、処理するフローチャートが示されている。同図に示すように、特典付与者の端末３００から、特典情報がサーバー装置１００に対し、インターネット１１０を介してアップロード（ステップＳ３００）されると、サーバー装置１００のプロセッサ部１３０は、アップロードされた特典情報に対して固有の特典情報ＩＤを付与して特典情報データベース部１５２に格納する。
【００３２】
＜ステップＳ１００＞
また、プロセッサ部１３０は、ステップＳ１００で、前記アップロードされた特典情報をウェブサイト中のウェブページで掲示する。前記ウェブページ中には、前記特典情報と、前記特典情報に関するデジタルコンテンツの付与を閲覧者が希望する場合に、前提条件の受諾と、氏名、性別、生年月日、職業、国籍、住所、電話番号、Ｅメールアドレス等の項目に関するアンケートも掲示される。
【００３３】
なお、デジタルコンテンツが画像の場合、ウェブサイトに掲示する場合は、元画像をサムネイル化したものを掲示したり、元画像にコピーライト表記するようにしたり、透明画像を上に重ねて表示するようにしたり或いは画像にウォータマークを入れてもよい。なお、この時の掲示には、必ずしも、画像を掲示することは必須ではなく、テキストで特典（画像）を付与する旨を掲示してもよい。
【００３４】
ステップＳ２００では、閲覧者が携帯端末２００ｎにより、前記ウェブサイトのウェブページを閲覧し、送信したアンケートの回答（閲覧者属性データ）を送信する。
＜ステップＳ１１０＞
すると、サーバー装置１００のプロセッサ部１３０は、ステップＳ１１０で、受信したアンケートの回答（閲覧者属性データ）を、受入希望者データベース部１５４を登録する。すなわち、プロセッサ部１３０は、前記アンケートの項目に、固有の受入希望者ＩＤを付与（関連付け）して、受入希望者データベース部１５４に格納する。
【００３５】
以後、アンケートの回答（閲覧者属性データ）を送信した閲覧者を、特典付与の受入を希望する受入希望者という。
＜ステップＳ１２０＞
これに応ずる形で、ステップＳ１２０において、サーバー装置１００のプロセッサ部１３０は、携帯端末２００ｎに対して、前記特典情報に関連付けされた来所する場所（すなわち、特典が付与される指定の場所）を、閲覧者属性データに含まれるＥメールアドレスに基づいて、携帯端末２００ｎに通知（送信）する。これにより、受入希望者は、特典が付与される指定の場所を知ることができる。この通知は、第１通知に相当する。
【００３６】
＜ステップＳ１３０＞
また、ステップＳ１３０では、サーバー装置１００のプロセッサ部１３０は、ステップＳ３００で特典情報をアップロードした特典付与者の端末３００に対して閲覧者属性データを通知（送信）することにより、受入希望者がある旨を通知する。この通知は、第２通知に相当する。前記閲覧者属性データは、受入希望者の属性情報に相当する。
【００３７】
特典付与者の端末３００は、ステップＳ３１０において、通知された閲覧者属性データを特典付与の申込みとして受付けし、すなわち、図示しない記憶部に設けられた特典付与予定リストに前記閲覧者属性データを登録する。この登録は、例えば受付順、或いは閲覧者属性データに含まれている氏名順でもよく、又、他の規則に基づいた順であってもよく、限定されない。
【００３８】
＜ステップＳ１４０Ａ＞
また、ステップＳ１３０の処理の後、ステップＳ１４０Ａでは、プロセッサ部１３０は、固有のキー情報としての二次元コードを生成し、特典付与者の端末３００に送信するとともに、該二次元コードをステップＳ１１０で登録した受入希望者データベース部１５４の閲覧者属性データと関連付けして格納しておく。
【００３９】
ここで二次元コードは、例えば、本実施形態では、キー情報はＱＲコード（登録商標）としているがＱＲコード（登録商標）に限定するものではなく、他の二次元コードであってもよい、他の二次元コードとしては、例えば、ＳＰコード、ベリコード、マキシコード、ＣＰコード、カメレオンコード、ＰＤＦ４１７等を挙げることができる。また、二次元コードに代えて、キー情報として一次元コード（例えば、バーコード）でもよく、或いは三次元コードであってもよい。前記二次元コードは、数値、文字列の少なくともいずれか一方からなっており、固有の値となるように生成される。この二次元コードは、識別コードに相当する。
【００４０】
特典付与者の端末３００に送信された二次元コードは、ステップＳ３１０において、前記図示しない記憶部に設けられた特典付与予定リストの閲覧者属性データと関連付けられて前記図示しない記憶部に格納される。
【００４１】
指定の場所に受入希望者が来所した場合、担当者が端末３００を操作して、受入希望者の名前等に基づいて前記記憶部（図示しない）の特典付与予定リストの閲覧者属性データと関連付けされた、二次元コードを検索する。そして、検索した結果の二次元コードを図示しないディスプレイに掲示する（ステップＳ３２０Ａ）。なお、ステップＳ３２０Ａでは、端末３００のディスプレイに二次元コードを掲示する代わりに、端末３００の記憶部に格納した二次元コードを紙等の媒体に予め印刷しておき、印刷された二次元コードを携帯端末２００ｎが備える撮像部（カメラ）で撮像させてもよい。
【００４２】
ステップＳ２１０Ａで、受入希望者は、前記ディスプレイに掲示された二次元コードを、携帯端末２００ｎが有する撮像部（カメラ）で撮像し、撮像した二次元コードの撮像画像を、サーバー装置１００に送信する。
【００４３】
＜ステップＳ１５０Ａ＞
ステップＳ１５０Ａでは、サーバー装置１００のプロセッサ部１３０は、受信した二次元コードと、受入希望者データベース部１５４に登録されている二次元コードとを照合する。そして、照合結果として両者の合致が確認されると、プロセッサ部１３０は、特典情報データベース部１５２に対するアクセスのロックを解除し、格納されている特典（本実施形態では、画像）のダウンロードを許容する。
【００４４】
サーバー装置１００が前記特典のダウンロードを許容しているため、受入希望者は携帯端末２００ｎを操作して、特典情報データベース部１５２にアクセスし、特典（本実施形態では、画像）をダウンロードする。このダウンロードにより、受入希望者は、欲しい画像を手に入れることができる。
【００４５】
＜ステップＳ１６０Ａ＞
ステップＳ１６０Ａでは、プロセッサ部１３０は、ダウンロードの終了に基づいて、特典付与終了を確認し、特典付与履歴データベース部１５６に、特典付与された受入希望者のＩＤ（受入希望者ＩＤ）、該特典付与が行われた日時、指定の場所、及び特典付与されたデジタル画像に関する特典情報ＩＤを登録する。このようにして、特典付与者は、指定の場所、例えば、販売店、或いはイベント会場等の特典付与を行う場所に人を集めることができる。
【００４６】
本実施形態では、下記の特徴を有する。
（１）本実施形態のサーバー装置１００のプロセッサ部１３０は、指定の場所に来所することを前提条件にして特典を付与する旨を閲覧可能な状態とすることと、前記特典の受入を希望する受入希望者の携帯端末２００ｎからの申込みを受け入れするようにしている。また、プロセッサ部１３０は、前記申込みに基づいて前記指定の場所を、受入希望者の携帯端末２００ｎへ通知（第１通知）し、前記特典付与者の端末３００へ前記受入希望者がある旨を通知（第２通知）する。
【００４７】
さらに、プロセッサ部１３０は、第２通知の後に、その通知先に対して前記受入希望者について固有の二次元コード（キー情報）を送信する。また、プロセッサ部１３０は、前記受入希望者の携帯端末２００ｎからの受入希望者の前記キー情報を受信し、受信した前記キー情報に基づいて、前記受入希望者の携帯端末２００ｎへ前記特典に関連するデジタルコンテンツのダウンロードを許容する。この結果、特典を付与する指定の場所に来所した閲覧者に特典を付与できる。そして、このように特典が付与されるためには、特典が付与される指定の場所に来所する必要があるため、閲覧者を指定の場所に集客することができる。
【００４８】
（２）本実施形態では、受入希望者の携帯端末２００ｎからの申込みには、該受入希望者の閲覧者属性データ(受入希望者の属性情報)が含まれている。従って、この申込みには、受入希望者の閲覧者属性データが含まれているため、特典付与者側において、受入希望者の属性を知ることができるとともにそれらのデータを活用することが可能となる。
【００４９】
（３）本実施形態では、キー情報には、プロセッサ部１３０が生成した受入希望者を識別する二次元コード（識別コード）を含む。この結果、指定の場所で、特典を受入希望者に付与する際に、二次元コードを受入希望者の携帯端末２００ｎ、特典付与者の端末３００、及びサーバー装置１００との三者間でやりとりすることによって、特典を付与するべき受入希望者を特定して特典を付与することができる。
【００５０】
（４）本実施形態の特典付与方法では、プロセッサ部１３０の処理が、指定の場所に来所することを前提条件にして特典を付与する旨を閲覧可能な状態とする段階と、前記特典の受入を希望する受入希望者の携帯端末２００ｎからの申込みを受け入れする段階とを有する。また、プロセッサ部１３０の処理が、前記申込みに基づいて指定の場所を、受入希望者の携帯端末２００ｎへ通知（第１通知）し、前記特典付与者の端末３００へ前記受入希望者がある旨を通知（第２通知）する段階を有する。さらに、プロセッサ部１３０の処理が、第２通知の後に、その通知先に対して前記受入希望者について固有の二次元コード（キー情報）を送信する段階を有する。また、プロセッサ部１３０の処理は、受入希望者の携帯端末２００ｎからの受入希望者の前記キー情報を受信する段階と、受信した前記キー情報に基づいて、受入希望者の携帯端末２００ｎへ前記特典に関連するデジタルコンテンツのダウンロードを許容する段階を有する。
【００５１】
この結果、上記（１）の効果を奏することができる。
（５）本実施形態の特典付与支援プログラムは、サーバー装置１００のプロセッサ部１３０に、指定の場所に来所することを前提条件にして特典を付与する旨を閲覧可能な状態とする段階と、前記特典の受入を希望する受入希望者の携帯端末２００ｎからの申込みを受け入れする段階を行わせる。また、特典付与支援プログラムは、プロセッサ部１３０に、前記申込みに基づいて指定の場所を、受入希望者の携帯端末２００ｎへ通知（第１通知）し、前記特典付与者の端末３００へ前記受入希望者がある旨を通知（第２通知）する段階を行わせる。特典付与支援プログラムは、プロセッサ部１３０に、第２通知の後に、その通知先に対して前記受入希望者について固有の二次元コード（キー情報）を送信する段階と、受入希望者の携帯端末２００ｎからの受入希望者の前記キー情報を受信する段階を行わせる。また、特典付与支援プログラムは、プロセッサ部１３０に、受信した前記キー情報に基づいて、受入希望者の携帯端末２００ｎへ前記特典に関連するデジタルコンテンツのダウンロードを許容する段階を行わせる。この結果、上記（１）の効果を奏することができる。
【００５２】
（第２実施形態）
次に第２実施形態のサーバー装置、特典付与方法、及び特典付与支援プログラムを図３を参照して説明する。本実施形態のサーバー装置１００のハード構成は、第１実施形態のサーバー装置１００と同一構成のため、同一構成には同一符号を付して、その説明を省略する。
【００５３】
図３は特典付与支援プログラムにより、サーバー装置１００のプロセッサ部１３０が処理するフローチャートであって、第１実施形態のステップＳ１４０Ａの代わりにステップＳ１４０Ｂが行われるところが第１実施形態と異なっている。また、同図中、第１実施形態の携帯端末２００ｎのステップＳ２１０Ａ及び特典付与者の端末３００のステップＳ３２０Ａの代わりに、本実施形態では、携帯端末２００ｎのステップＳ２１０Ｂ及び特典付与者の端末３００のステップＳ３２０Ｂが行われるところが異なっている。以下、その説明を行う。
【００５４】
＜ステップＳ１４０Ｂ＞
ステップＳ１４０Ｂでは、プロセッサ部１３０は、固有のキー情報としての二次元コードを生成し、該二次元コードを受入希望者の携帯端末２００ｎに送信するとともに、該二次元コードをステップＳ１１０で登録した受入希望者データベース部１５４の閲覧者属性データと関連付けして格納しておく。
【００５５】
なお、二次元コードを受信した受入希望者の携帯端末２００ｎは、その二次元コードを図示しない記憶部に格納しておく。
＜ステップＳ２１０Ｂ＞
ステップＳ２１０Ｂでは、受入希望者が指定の場所に訪れた際、受入希望者が携帯端末２００ｎを操作して、図示しない記憶部に記憶した二次元コードを図示しないディスプレイに掲示させて、特典付与者の端末３００が備える撮像部（カメラ）で撮像させる。なお、ステップＳ２１０Ｂでは、携帯端末２００ｎのディスプレイに二次元コードを掲示する代わりに、携帯端末２００ｎの記憶部に格納した二次元コードを紙等の媒体に予め印刷しておき、印刷された二次元コードを端末３００が備える撮像部（カメラ）で撮像させてもよい。
【００５６】
＜ステップＳ３２０Ｂ＞
ステップＳ３２０Ｂでは、特典付与者の端末３００が備える撮像部（カメラ）で撮像し、撮像した二次元コードの撮像画像を、サーバー装置１００に送信する。
【００５７】
サーバー装置１００の他のステップは、第１実施形態と同様である。
本実施形態のサーバー装置、特典付与方法、及び特典付与支援プログラムは、上記の処理、ステップが行われることにより、第１実施形態の（１）〜（５）と同様の効果を奏することができる。
【００５８】
（第３実施形態）
次に第３実施形態のサーバー装置、特典付与方法、及び特典付与支援プログラムを図４を参照して説明する。第１実施形態及び第２実施形態では、指定の場所に来所した閲覧者（受入希望者）に対してデジタルコンテンツをダウンロードで付与するようにした。これに対して本実施形態では、指定の場所に来所した閲覧者（受入希望者）に対して、特典として、デシタルコンテンツではない物自体を付与（すなわち、譲渡）する。
【００５９】
従って、本実施形態の特典情報は、デシタルコンテンツではない物自体の情報である。前記特典情報には固有の特典情報ＩＤが付されている。前記デシタルコンテンツではない物自体は、例えば、写真、試供品、物品（商品）、本、ゲーム機、プログラムソフト等のデシタルコンテンツが記憶された記憶媒体、フィギュア、商品券、割引券等を含む。
【００６０】
本実施形態のサーバー装置１００のハード構成は、第１実施形態のサーバー装置１００と同一構成のため、同一構成には同一符号を付して、その説明を省略する。
図４は特典付与支援プログラムにより、サーバー装置１００のプロセッサ部１３０が処理するフローチャートであって、第１実施形態のステップＳ１５０Ａ、Ｓ１６０Ａの代わりにステップＳ１５０Ｂ、Ｓ１６０Ｂが行われるところが第１実施形態と異なっている。また、同図中、第１実施形態の特典付与者の端末３００のステップＳ３２０Ａの後であって、Ｓ１５０Ｂの処理が行われた後、特典付与者の端末３００では、ステップＳ３３０が行われるところが、第１実施形態と異なっている。以下、その説明を行う。
【００６１】
＜ステップＳ１５０Ｂ＞
ステップＳ２１０Ａにおいて、携帯端末２００ｎから送信された二次元コードをサーバー装置１００が受信するため、サーバー装置１００のプロセッサ部１３０は、受信した二次元コードと、受入希望者データベース部１５４に登録されている二次元コードとを照合する。そして、受信した二次元コードが、受入希望者データベース部１５４に登録されている二次元コードとが合致していることが確認されると、特典付与者の端末３００及び携帯端末２００ｎに特典の付与許可を送信する。なお、特典の付与許可は、特典付与者の端末３００のみに行ってもよい。
【００６２】
特典付与者は、端末３００が前記特典の付与許可を受信すると、前記特典を、受入希望者に付与する。これにより、受入希望者は、特典を手に入れることができる。また、携帯端末２００ｎが前記特典の付与許可を受信した場合には、前記特典を、受入希望者は、特典の付与許可を受信したことを特許付与者に告げることによって、特典の付与を受けてもよい。
【００６３】
ステップＳ３３０では、特典付与者の端末３００では、特典付与者の操作より、特典を付与した後は、特典の付与完了の送信（通知）を行う。
＜ステップＳ１６０Ｂ＞
ステップＳ１６０Ｂでは、プロセッサ部１３０は、前記特典の付与完了の受信により、特典付与終了を確認し、特典付与履歴データベース部１５６に、特典付与された受入希望者のＩＤ（受入希望者ＩＤ）、該特典付与が行われた日時、指定の場所、及び付与された物に関する特典情報ＩＤを登録する。このようにして、特典付与者は、指定の場所、例えば、販売店、或いはイベント会場等の特典付与を行う場所に人を集めることができる。
【００６４】
本実施形態では、下記の特徴を有する。
（１）本実施形態のサーバー装置１００、特典付与方法、及び特典付与支援プログラムは、プロセッサ部１３０が、指定の場所に来所することを前提条件にして特典を付与する旨を閲覧可能な状態とすることと、前記特典の受入を希望する受入希望者の携帯端末２００ｎからの申込みを受け入れするようにしている。また、プロセッサ部１３０は、前記申込みに基づいて前記指定の場所を、受入希望者の携帯端末２００ｎへ通知（第１通知）し、前記特典付与者の端末３００へ前記受入希望者がある旨を通知（第２通知）する。
【００６５】
さらに、プロセッサ部１３０は、第２通知の後に、その通知先に対して前記受入希望者について固有の二次元コード（キー情報）を送信する。また、プロセッサ部１３０は、前記受入希望者の携帯端末２００ｎからの受入希望者の前記キー情報を受信し、受信した前記キー情報に基づいて、受入希望者の携帯端末２００ｎ、または、特典付与者の端末３００のうち、少なくとも端末３００へ特典の付与許可を送信する。
【００６６】
この結果、特典を付与する指定の場所に来所した閲覧者に特典を付与できる。そして、このように特典が付与されるためには、特典が付与される指定の場所に来所する必要があるため、閲覧者を指定の場所に集客することができる。
【００６７】
（第４実施形態）
次に第４実施形態のサーバー装置、特典付与方法、及び特典付与支援プログラムを図５を参照して説明する。本実施形態のサーバー装置１００のハード構成は、第１実施形態のサーバー装置１００と同一構成のため、同一構成には同一符号を付して、その説明を省略する。第４実施形態は、第３実施形態と同様に指定の場所に来所した閲覧者（受入希望者）に対して、特典として、デシタルコンテンツではない物自体を付与（すなわち、譲渡）する。以下、第３実施形態と異なる構成について説明する。
【００６８】
図５は特典付与支援プログラムにより、サーバー装置１００のプロセッサ部１３０が処理するフローチャートであって、第３実施形態のステップＳ１４０Ａの代わりに第２実施形態と同様にステップＳ１４０Ｂが行われる。また、同図中、第３実施形態の携帯端末２００ｎのステップＳ２１０Ａ及び特典付与者の端末３００のステップＳ３２０Ａの代わりに、本実施形態では、第２実施形態（図３参照）の携帯端末２００ｎのステップＳ２１０Ｂ及び特典付与者の端末３００のステップＳ３２０Ｂが行われるところが異なっている。このように構成しても、第３実施形態と同様の効果を奏する。
【００６９】
なお、本発明の実施形態は前記実施形態に限定されるものではなく、下記のように変更しても良い。
・前記各実施形態において、インターネット１１０の代わりに任意のタイプのネットワークを用いてもよい。
【００７０】
・前記各実施形態において、データベース１５０は、ネットワークを介して接続されるクラウド上のストレージとして構成されてもよい。
・第１実施形態及び第２実施形態では特典を、無料で受入希望者に付与することとしたが、有料であってもよく、或いは一般市場で販売されている販売価格よりも割引きして付与（販売）するようにしてもよい。
【００７１】
・第１実施形態及び第２実施形態では特典を、デジタル画像としたが、デジタル画像を除くデシタルコンテンツとしてもよいことは勿論のことである。
・前述した各実施形態においては、Ｓ２００の処理を閲覧者の携帯端末２００ｎで行うこととしているが、Ｓ２００の処理を固定端末で行い、Ｓ２１０Ａ、Ｓ２１０Ｂの処理を携帯端末２００ｎで行ってもよい。
【００７２】
・第１実施形態、及び第３実施形態において、Ｓ１４０Ａの処理をＳ１３０と同時に行ってもよく、或いは、Ｓ１４０Ａの処理をＳ１３０の前に行ってもよい。
・第２実施形態、及び第４実施形態において、Ｓ１４０Ｂの処理をＳ１２０と同時に行ってもよく、或いは、Ｓ１４０Ｂの処理をＳ１２０の前に行ってもよい。
【００７３】
・第１実施形態では、特典付与者の端末３００は、Ｓ３００、Ｓ３１０、Ｓ３２０Ａとも同じ端末で行うようにしたが、Ｓ３００の処理の端末と、Ｓ３１０及びＳ３２０Ａの処理を行う端末は、相互に独立した端末で行うようにしてもよい。この場合、サーバー装置１００は、Ｓ３１０の以後の処理を行う通信先の端末のアカウント登録等がされているものとすればよい。また、第２〜第４実施形態においても、同様に構成されていればよい。
【００７４】
・各実施形態では、Ｓ１３０において、閲覧者属性データの通知を行うことにより、申し込み受付の通知としたが、閲覧者属性データではなく、例えば、来所する日時を通知をすることによりそれを申し込み受付の通知としてもよい。
【符号の説明】
【００７５】
１００…サーバー装置、１１０…インターネット、
１２０…インターフェイス、１３０…プロセッサ部、１４０…メモリ、
１５０…データベース、１５２…特典情報データベース部、
１５４…受入希望者データベース部、１５６…特典付与履歴データベース部、
２００ｎ…携帯端末、３００…特典付与者の端末。
【図１】
2020107017.tif 000003
【図２】
2020107017.tif 000004
【図３】
2020107017.tif 000005
【図４】
2020107017.tif 000006
【図５】
2020107017.tif 000007